(57)【特許請求の範囲】
【請求項１】
モータと、
該モータにより駆動されて加工部材を切断する鋸刃と、
該モータによって回転駆動されるファンと、
該鋸刃のモータ側側面と対向して位置し、該モータと該ファンを内蔵するハウジングと、
該ハウジングに接続され該鋸刃の外周の略半分を覆うソーカバーと、
該鋸刃の刃先に光を照射するための照射体と、
該ソーカバーに取付けられ、該照射体を保持し、該照射体に電力を供給するためのコードを内部空間において保持するガイド体と、
該ソーカバー又は該ハウジングに取付けられ、該加工部材に当接し、鋸刃を突出させる開口部が形成されたベースと、を備え、
該ハウジング内には該ファンの回転によるファン風を該ソーカバー方向に導く風路が画成され、
該ガイド体は、該ソーカバーに取付けられた状態で、該内部空間が該風路と連通しており、該ガイド体には、反モータ側から該鋸刃の該刃先に光を照射するよう該照射体が保持されていると共に、該内部空間に流入した該ファン風が反モータ側から該鋸刃の該刃先に吹き付けられるように開口した第１流路が画成されており、更に該内部空間に流入した該ファン風が該ベースの切断方向先頭側の端部付近であって該ベースの進行方向前方に吹き付けられるように開口した第３流路が画成されていることを特徴とする携帯用切断機。
【請求項２】
該ソーカバーを該ベースに対して上方としたとき、該第１流路は、斜め上方から、該ベースの底面を含む仮想面と該鋸刃の外周との交差箇所付近にファン風を送るように構成されていることを特徴とする請求項１に記載の携帯用切断機。
【請求項３】
該ソーカバーと該ガイド体との間であって、該鋸刃の反モータ側側面側には、該鋸刃の反モータ側側面の刃先及びその周辺に光を照射するための照射面が位置し、該照射面からの照射のための線材が、該ガイド体の内面を沿うように該第１流路内で該ガイド体に保持されることを特徴とする請求項１乃至２に記載の携帯用切断機。
【請求項４】
該照射体は、該ソーカバーと該ガイド体との間であって、該鋸刃のモータ側側面側に位置していることを特徴とする請求項１乃至３のいずれか一に記載の携帯用切断機。
【請求項５】
該ガイド体は、該ファン風を該鋸刃のモータ側側面に吹き付けるための第２流路を画成していることを特徴とする請求項１乃至４のいずれか一に記載の携帯用切断機。
【請求項６】
該照射体は、該ソーカバーと該ガイド体との間であって、該鋸刃のモータ側側面側に位置し、該照射体は該第２流路に面して設けられることを特徴とする請求項５に記載の携帯用切断機。
【請求項７】
モータと、
該モータにより駆動されて加工部材を切断する鋸刃と、
該モータによって回転駆動されるファンと、
該鋸刃の一面側に位置し、該モータと該ファンを内蔵するハウジングと、
該ハウジングに接続され該鋸刃の外周の略半分を覆うソーカバーと、
該ソーカバー又は該ハウジングに取付けられ、該加工部材に当接し、鋸刃を突出させる開口部が形成されたベースと、を備え、
該ハウジング内には該ファンの回転によるファン風を該ソーカバー方向に導く風路が画成され、
該ソーカバーには、該風路に連通するガイド体が設けられ、該ガイド体は該ベースの切断方向先頭側の端部付近であって該ベースの進行方向前方に該ファン風を吹き付けるためのブロア流路と、反モータ側側面から該鋸刃の刃先側面に該ファン風を吹き付ける第１刃先流路とを画成していることを特徴とする携帯用切断機。
【請求項８】
該ソーカバーを該ベースに対して上方としたとき、該第１刃先流路は、斜め上方から、該ベースの底面を含む仮想面と該鋸刃の外周との交差箇所付近にファン風を送るように構成されていることを特徴とする請求項７に記載の携帯用切断機。
【請求項９】
該ソーカバーと該ガイド体との間であって、該反モータ側側面側には、該反モータ側側面の刃先及びその周辺に光を照射するための照射面が位置し、該照射面からの照射のための線材が、該ガイド体の内面を沿うように該第１刃先流路内で該ガイド体に保持されることを特徴とする請求項７又は８に記載の携帯用切断機。
【請求項１０】
該ソーカバーと該ガイド体との間であって、該鋸刃のモータ側側面側には、該モータ側側面の刃先及びその周辺に光を照射するための照射体が位置し、該ガイド体が該照射体を保持することを特徴とする請求項７乃至９のいずれか一に記載の携帯用切断機。
【請求項１１】
該ファン風を該鋸刃のモータ側側面に吹き付ける第２刃先流路を有し、該照射体は、該第２刃先流路内に面して位置することを特徴とする請求項７乃至１０に記載の携帯用切断機。
【請求項１２】
該刃先流路は、該ファン風を該鋸刃の反モータ側側面に吹き付ける第１刃先流路と、該ファン風を該鋸刃のモータ側側面に吹き付ける第２刃先流路とにより構成されることを特徴とする請求項７に記載の携帯用切断機。
【発明の詳細な説明】
【技術分野】
【０００１】
本発明は携帯用切断機に関し、特にモータ冷却のためのファン風を利用して鋸刃側面に空気を吹き付ける携帯用切断機に関する。
【背景技術】
【０００２】
従来の携帯用切断機は、駆動源たるモータと、モータにより駆動されて加工部材を切断する鋸刃と、モータを冷却するためにモータによって回転駆動されるファンと、鋸刃の一面側に位置し、モータやファンを内蔵するハウジングと、ハウジングに接続され鋸刃の外周の略半分を覆うソーカバーと、ソーカバーを回動可能に支持すると共に加工部材に当接するベースとを備えている。ベースには、ベースに対してソーカバーを上側としたとき、鋸刃を下方に突出させる開口部が形成されている。
【０００３】
ハウジング内にはファンの回転によるファン風をソーカバー方向に導く風路が画成されており、ファン風は、ソーカバー内であって鋸刃のモータ側の側面側に導入される。そのことにより、切断作業の際に生じる切断紛を作業領域から吹き飛ばして、加工部材に描かれた墨線に対する視認性を向上させている。かかる構成は特許文献１に記載されている。
【特許文献１】特許第３７４８０７３号公報
【発明の開示】
【発明が解決しようとする課題】
【０００４】
かかる構造では、使用者がハウジング側からソーカバー方向に鋸刃の刃先を視たときは視認が容易となるものの、使用者が反ハウジング側からソーカバー方向に鋸刃の刃先を視たときは、鋸刃自体がファン風に対する障壁となるために、反ハウジング側の鋸刃の刃先付近の切断紛の除去が完全になされず、墨線への視認性が十分ではなかった。
【０００５】
本発明は、反ハウジング側からソーカバー方向に鋸刃の刃先を視たときに、墨線への視認性が良好な携帯用切断機を提供することを目的とする。
【０００６】
本発明は更に、ベースの切断方向先頭側の端部付近であってベースの進行方向前方側にファン風を吹き付けて、進行方向前方側の加工部材上に滞留している切断紛を吹き飛ばすブロア機能と、鋸刃の刃先側面にファン風を吹き付ける機能を備えて、切断紛を効果的に吹き飛ばし、墨線の視認性を良好にして作業効率の向上が図れる携帯用切断機を提供することを他の目的とする。
【課題を解決するための手段】
【０００７】
かかる目的を達成するため本発明は、モータと、該モータにより駆動されて加工部材を切断する鋸刃と、該モータによって回転駆動されるファンと、該鋸刃のモータ側側面と対向して位置し、該モータと該ファンを内蔵するハウジングと、該ハウジングに接続され該鋸刃の外周の略半分を覆うソーカバーと、該鋸刃の刃先に光を照射するための照射体と、該ソーカバーに取付けられ、該照射体を保持し、該照射体に電力を供給するためのコードを内部空間において保持するガイド体と、該ソーカバー又は該ハウジングに取付けられ、該加工部材に当接し、鋸刃を突出させる開口部が形成されたベースと、を備え、該ハウジング内には該ファンの回転によるファン風を該ソーカバー方向に導く風路が画成され、該ガイド体は、該ソーカバーに取付けられた状態で、該内部空間が該風路と連通しており、該ガイド体には、反モータ側から該鋸刃の該刃先に光を照射するよう該照射体が保持されていると共に、該内部空間に流入した該ファン風が反モータ側から該鋸刃の該刃先に吹き付けられるように開口した第１流路が画成されており、更に該内部空間に流入した該ファン風が該ベースの切断方向先頭側の端部付近であって該ベースの進行方向前方に吹き付けれるように開口した第３流路が画成されている携帯用切断機を提供している。
【０００８】
ここで、該ソーカバーを該ベースに対して上方としたとき、該第１流路は、斜め上方から、該ベースの底面を含む仮想面と該鋸刃の外周との交差箇所付近にファン風を送るように構成されている。
【０００９】
また、該ソーカバーと該ガイド体との間であって、該鋸刃の反モータ側側面側には、該鋸刃の反モータ側側面の刃先及びその周辺に光を照射するための照射面が位置し、該照射面からの照射のための線材が、該ガイド体の内面を沿うように該第１流路内で該ガイド体に保持される。
【００１１】
また、該ガイド体は、該ファン風を該鋸刃のモータ側側面に吹き付けるための第２流路を画成している。ここで、該照射体は、該ソーカバーと該ガイド体との間であって、該鋸刃のモータ側側面側に位置し、該照射体は該第２流路に面して設けられる。
【００１３】
本発明は更に、モータと、該モータにより駆動されて加工部材を切断する鋸刃と、該モータによって回転駆動されるファンと、該鋸刃の一面側に位置し、該モータと該ファンを内蔵するハウジングと、該ハウジングに接続され該鋸刃の外周の略半分を覆うソーカバーと、該ソーカバー又は該ハウジングに取付けられ、該加工部材に当接し、鋸刃を突出させる開口部が形成されたベースと、を備え、該ハウジング内には該ファンの回転によるファン風を該ソーカバー方向に導く風路が画成され、該ソーカバーには、該風路に連通するガイド体が設けられ、該ガイド体は該ベースの切断方向先頭側の端部付近であって該ベースの進行方向前方に該ファン風を吹き付けるためのブロア流路と、反モータ側側面から該鋸刃の刃先側面に該ファン風を吹き付ける第１刃先流路とを画成していることを特徴とする携帯用切断機を提供している。
【００１４】
ここで、該ソーカバーを該ベースに対して上方としたとき、該第１刃先流路は、斜め上方から、該ベースの底面を含む仮想面と該鋸刃の外周との交差箇所付近にファン風を送るように構成されている。
【００１５】
また、該ソーカバーと該ガイド体との間であって、該反モータ側側面側には、該反モータ側側面の刃先及びその周辺に光を照射するための照射面が位置し、該照射面からの照射のための線材が、該ガイド体の内面を沿うように該第１刃先流路内で該ガイド体に保持される。
【００１６】
また、該ソーカバーと該ガイド体との間であって、該鋸刃のモータ側側面側には、該モータ側側面の刃先及びその周辺に光を照射するための照射体が位置し、該ガイド体が該照射体を保持する。
【００１７】
また、該ファン風を該鋸刃のモータ側側面に吹き付ける第２刃先流路を有し、該照射体は、該第２刃先流路内に面して位置する。
【００１８】
また、該刃先流路は、該ファン風を該鋸刃の反モータ側側面に吹き付ける第１刃先流路と、該ファン風を該鋸刃のモータ側側面に吹き付ける第２刃先流路とにより構成される。
【発明の効果】
【００１９】
請求項１記載の携帯用切断機によれば、反モータ側の刃先の切断紛や、墨線付近にある切断紛がファン風により除去されるので、使用者が鋸刃の反モータ側から切断箇所や墨線を目視した場合に、切断箇所や墨線への視認性が良好となる。また、照射体によりモータ側の刃先が照らされ、視認性が向上する。また、ガイド体が照射体を保持する保持体としても作用するので、部品点数を削減できる。また、ベース先頭側でベース進行方向前方にファン風の吹き付けが行えるので、進行方向前方に位置する切断紛を吹き飛ばし、墨線の視認性をより高めることができる。
【００２０】
請求項２及び請求項８記載の携帯用切断機によれば、作業者が鋸刃付近近傍部を確認する際に、ガイド体の第１流路を構成している部分が目視の邪魔になることを抑制することができ、更に視認性を向上させることができる。
【００２１】
請求項３及び請求項９記載の携帯用切断機によれば、照射面により反モータ側の刃先が照らされ、視認性が向上する。また、ガイド体が線材を保持する保持体としても作用するので、部品点数を削減できる。なお、照射面とは、例えば光ファイバの出射端面やＬＥＤなどのランプの照射面をいう。また線材とは光ファイバそのものや、ＬＥＤに電力を供給する電源コードをいう。
【００２２】
請求項１０記載の携帯用切断機によれば、照射体によりモータ側の刃先が照らされ、視認性が向上する。また、ガイド体が照射体を保持する保持体としても作用するので、部品点数を削減できる。
【００２３】
請求項５及び請求項１１記載の携帯用切断機によれば、第２流路又は第２刃先流路により、鋸刃のモータ側の側面の刃先の切断紛が除去できる。
【００２４】
請求項６及び請求項１１記載の携帯用切断機によれば、第２流路内又は第２刃先流路内に照射体が面しているので、第２流路又は第２刃先路内を流れるファン風によって、照射体の冷却を図ることができる。なお、照射体の電源装置を第２流路又は第２刃先路内に設置したときは、電源装置もファン風で冷却できる。
【００２６】
請求項７記載の携帯用切断機によれば、ベース先頭側でベース進行方向前方にファン風が吹きつけられて、ベース進行方向前方に位置する切断紛を吹き飛ばすと共に、鋸刃の刃先側面にもファン風を吹き付けるので、墨線上の切断屑や、刃先に付着した切断屑を良好に除去でき、切断作業の能率を向上させることができる。
【００２７】
請求項１２記載の携帯用切断機によれば、鋸刃のモータ側側面の刃先のみならず、反モータ側側面の刃先に対してもファン風が吹き付けられるので、ベース進行方向のファン風と相まって、切断作業の能率をよりいっそう向上させることができる。
【発明を実施するための最良の形態】
【００２８】
以下、本発明の実施の形態による携帯用切断機について図１から図６を参照して説明する。図１、図２は、携帯用切断機１の全体構成を示しており、これらの図において右側が切断方向前方、左側が切断方向後方である。携帯用切断機１は主に、切断作業時に加工部材上に当接配置されるベース２と、ベース２の加工部材当接面とは反対側の面に位置してベース２に対して回動可能に設けられた丸鋸本体３とにより主に構成される。
【００２９】
ベース２は一面側が加工部材Ｗ(図３）上に当接して摺動し、鋸刃６を加工部材側に突出させるための開口部２ａ(図５）が形成されている。又ベースの切断方向前方側端部付近には、丸鋸本体３をベース２に対して回動させる回動支持部１１が設けられており、回動支持部１１には回動ピン１２が丸鋸軸６Ａと平行に延びている。
【００３０】
丸鋸本体３は、ハウジング４と、ソーカバー５とにより外郭をなし、ハウジング４は鋸刃６の一側面側に位置し、ハウジング４内には、鋸刃６を回転駆動するためのモータ７やモータ７の回転を鋸刃６に伝達する図示せぬ動力伝達機構が内蔵されている。ハウジング４の頂部にはハンドル８が設けられている。ソーカバー５は、鋸刃６の上半分を覆い、ハウジング４の一端部に一体に設けられる。ソーカバー５の切断方向前方側の端部は、回動ピン１２に回動可能に接続され、鋸刃６のベース２からの突出量を変更可能にしている。また、ベース２と丸鋸本体３との間には、丸鋸本体３の回動位置の固定及びその解除をするための固定解除機構１３が設けられている。なお上述した回動支持部１１は、丸鋸本体３をベース２に対して傾動させる機構、即ちベースの幅方向に丸鋸本体３を傾斜させる機構及び傾斜位置を固定・解除する機構も設けられている。傾動機構の詳細は、特許第３８８８１６５号公報に記載されている。
【００３１】
不使用時に鋸刃６の下半分を覆うためのセフティカバー９が丸鋸軸６Ａを中心に回動可能に設けられ、セフティカバー９には指先でその回動位置を保持するためのセフティカバーレバー１０が設けられている。被切断材Ｗをその後端面から前方に向かって切断をするときは、セフティカバー９は自動的に回動して鋸刃６の下半分を露出させる。また窓切り作業など被削材の上方から下方に鋸刃を移動させる必要があるときは、セフティカバーレバー１０を指先に掛けて、セフティカバー９の開状態を維持する。
【００３２】
ハウジング４とモータ７との間にはソーカバー５方向に向かう風路４ａが画成されている。そしてモータ７の回転軸と同軸にハウジング４内にファン２０が取付けられ、回転駆動される。ファン２０はその回転により、ハウジング４に形成された図示せぬ吸入口から空気をハウジング４内に導入し、風路４ａに空気を通過させてモータ７を冷却する。
【００３３】
ソーカバー５の外側には、ガイド体２１が設けられており、ガイド体２１は、モータ７側の第１ガイド体２１Ａと、反モータ７側の第２ガイド体２１Ｂとにより構成される。即ち第１ガイド体２１Ａは、鋸刃６のモータ７側に面しており、第２ガイド体２１Ｂは、鋸刃６の反モータ７側に面している。図４に示されるように、ソーカバー５とガイド体２１との間には、導入路２２、第１流路(第１刃先流路）２３、第３流路(ブロア流路）２５が画成される。また第２流路(第２刃先流路）２４がソーカバー５及び第１ガイド体２１Ａを貫通して形成されている。
【００３４】
導入路２２は上述した風路４ａに連通している。図４に示されるように、第１流路２３は導入路２２に連通しており、第１ガイド体２１Ａと第２ガイド体２１Ｂと、ソーカバー５とにより断面略Ｕ字形の形状をなして、鋸刃６の刃先のモータ７側側面から反モータ７側面に沿うように延びている。そして第１流路２３の開口先端は、図５に示されるように、鋸刃６刃先の反モータ７側の側面に向かって開口している。より具体的には、図５の矢印ａ２に示されるようにソーカバー８をベース２に対して上方としたとき、第１流路２３は、斜め上方から、ベース２の底面を含む仮想面と鋸刃６の反モータ側の外周との交差箇所付近にファン風を送るように第２ガイド体２１Ｂが構成されている。
【００３５】
図４、図５に示されるように、第２流路２４は、第１流路２３のモータ７側の部分から分岐して設けられ、鋸刃６の刃先であってモータ７側側面に向かって開口している。より具体的には、図５の矢印ａ３に示されるようにソーカバー８をベース２に対して上方としたとき、第２流路２４は、斜め上方から、ベース２の底面を含む仮想面と鋸刃６のモータ側の外周との交差箇所付近にファン風を送るように、第１ガイド体２１Ａが構成されている。
【００３６】
また、図３、図４に示されるように、第３流路２５は、第１流路から分岐して形成され、ベース２の切断方向先頭側の端部付近であってベース２の進行方向前方に向かって開口している。
【００３７】
図４乃至図６に示されるように、第１ガイド体２１Ａ内には、鋸刃６の刃先であってモータ７側を照射するためのＬＥＤ等の１対の刃先照明用ライト２６が取付けられている。１対の刃先照明用ライト２６は、切断方向に沿って並んで配置されている。また、第１ガイド体２１Ａ内には、刃先照明用ライト２６に接続された電源装置２７が配置されている。即ち、電源装置２７や刃先照明用ライト２６は、第１流路２３内に配置されている。
【００３８】
第２ガイド体２１Ｂ内には、鋸刃６の刃先であって反モータ７側を照射するための刃先照明用ライト２８が取付けられている。また電源装置２７から刃先照明用ライト２８に電力を供給するためのコード２９が、第１ガイド体２１Ａ，第２ガイド体２１Ｂの内面を沿うように第１流路２３内で第１ガイド体２１Ａ、第２ガイド体２１Ｂに保持されている(図４）。
【００３９】
切断時は、モータ７の回転によりファン２０が回転し、風路４ａに沿って空気が流れ、モータ７が冷却される。また風路４ａから導入路２２に導入された空気(矢印ａ１）は、第１流路２３に沿って流れ、鋸刃６の刃先であって反モータ７側に空気が吹き付けられて(矢印ａ２）、反モータ７側にある切断紛が吹き飛ばされる。したがって使用者が、反モータ７側から切断箇所を覗いたときに、墨線が容易に視認できる。又、作業者側に飛散する切断紛をこの空気流ａ２により遮断することができる。更に、図５の矢印ａ２に示されるようにソーカバー８をベース２に対して上方としたとき、第１流路２３は、斜め上方から、ベース２の底面を含む仮想面と鋸刃６の反モータ側の外周との交差箇所付近にファン風を送るように第２ガイド体２１Ｂが構成されているので、作業者が鋸刃６の反モータ側を確認する際に、第２ガイド体２１Ｂの第１流路を構成している部分が目視の邪魔になることを抑制することができ、更に視認性を向上させることができる。
【００４０】
また、刃先照明用ライト２６により反モータ側の刃先が照らされるので、視認性がより向上する。また、第１第２ガイド体２１Ａ，２１Ｂがコード２９を保持する保持体としても作用するので、部品点数を削減できる。また、電源装置２７や刃先照明用ライト２８は第１流路２３内に設けられているので、空気流ａ２により電源装置２７が冷却できるし、刃先照明用ライト２８に付着する切断紛を空気流ａ２により除去することができる。
【００４１】
また第１流路２３に導入された空気は、その一部ａ３が第２流路２４を通過して、鋸刃６の刃先のモータ側側面に吹き付けられる。よって、鋸刃６のモータ側の側面の刃先の切断紛が容易に除去できる。又作業者側に飛散する切断紛をこの空気流ａ３により遮断することができる。更に、図５の矢印ａ３に示されるようにソーカバー８をベース２に対して上方としたとき、第２流路２４は、斜め上方から、ベース２の底面を含む仮想面と鋸刃６のモータ側の外周との交差箇所付近にファン風を送るように第１ガイド体２１Ａが構成されているので、作業者が鋸刃６のモータ側を確認する際にも、第１ガイド体２１Ａの第２流路を構成している部分が目視の邪魔になることを抑制することができ、更に視認性を向上させることができる。
【００４２】
更に、１対の刃先照明用ライト２６は第２流路２４内に配置されているので、第２流路を流れる空気流ａ３により、１対の刃先照明用ライト２６に付着した切断紛を除去することができる。更に、第１流路２３を流れる空気の一部は、第３流路２５にも導入されるので(空気流ａ４）、ベース２の切断方向先頭側の端部付近であってベース２の進行方向前方にファン風が吹き付けられ、進行方向前方にある切断紛を除去することができ、墨線を明確に確認することができる。
【００４３】
尚、本発明の携帯用切断機は、上記した実施の形態に限定されるものではなく、本発明の要旨を逸脱しない範囲内において種々変更を加え得ることは勿論である。例えば、上述した実施の形態では、ソーカバー５がベース２に回動可能に接続されているが、ハウジング４がベース２に回動可能に接続されるようにしてもよい。また上述した刃先照明用ライト２８やコード２９に代えて、光ファイバを使用してもよい。その場合、光ファイバの軸端面が光出射端となって刃先照明用ライト２８の位置にあり、ファイバそのものがコード２９の位置に付設される。
【００４４】
また上述した実施形態においては、ファン風を鋸刃６の両側面とベース２先端の３方向に排出する構成としたが、反モータ側のみでも良く、あるいはベース２先端及び鋸刃６のいずれかの側面であっても良い。更にベース先端部に加え、側面に限らず、刃先付近への排出する構成であっても良い。
【図面の簡単な説明】
【００４５】
【図１】本発明の実施の形態による携帯用切断機の平面図。
【図２】本発明の実施の形態による携帯用切断機の側面図。
【図３】図２の領域Ａの部分の拡大図。
【図４】図３のＩＶ−ＩＶ線に沿った断面図。
【図５】図３のＶ−Ｖ線に沿った断面図。
【図６】図５の矢印Ｖ方向から視た鋸刃と刃先照明用ライトの位置関係を示す図。
【符号の説明】
【００４６】
２  ベース、  ３  丸鋸本体、  ４  ハウジング、  ４ａ  風路、  ５  ソーカバー
６  鋸刃、  ７  モータ、  ２０  ファン、  ２１  ガイド体、  ２１Ａ  第１ガイド体、  ２１Ｂ  第２ガイド体、  ２２  導入路、２３  第１流路（第１刃先流路）、２４  第２流路(第２刃先流路）  ２５  第３流路(ブロア流路）、２６、２８刃先照明用ライト、  ２７  電源装置、  ２９  コード
【図１】
0004936224.tif 000002
【図２】
0004936224.tif 000003
【図３】
0004936224.tif 000004
【図４】
0004936224.tif 000005
【図５】
0004936224.tif 000006
【図６】
0004936224.tif 000007